(57)【要約】【課題】本発明は自撮り設備を開示した。【解決手段】ハンドルを含み、前記ハンドルの中には中チャンバが設けられ、前記中チャンバの中には調節機構が設けられ、前記調節機構は携帯電話の角度を調節でき、前記ハンドルの中には固定ロッドがスライドできるように設けられ、前記固定ロッドの中には伸縮ロッドがスライドできるように設けられ、前記伸縮ロッドの中には切り替えスライドブロックがスライドできるように設けられ、前記切り替えスライドブロックの中には切り替え機構が設けられ、前記伸縮ロッドの後側には自撮り板が設けられ、前記切り替え機構が前記自撮り板の角度を調節でき、前記自撮り板の中には挟み機構が設けられ、前記挟み機構は前記携帯電話を挟むことができる。【選択図】図１
2020181176.tif 000002
【特許請求の範囲】
【請求項１】
正面視で、ハンドルを含み、前記ハンドルの中には中チャンバが設けられ、前記中チャンバの中の上下両側にはいずれも水平溝が設けられ、前記水平溝と前記中チャンバとの間が縦溝によって互いに連通しており、前記中チャンバの中には調節機構が設けられ、前記調節機構は携帯電話の角度を調節でき、前記ハンドルの中には固定ロッドがスライドできるように設けられ、前記固定ロッドの中には伸縮ロッドがスライドできるように設けられ、前記伸縮ロッドの中には切り替えスライドブロックがスライドできるように設けられ、前記切り替えスライドブロックは前後にスライドすることしかできなく、前記切り替えスライドブロックの片側には固定板が固定的に設けられ、前記切り替えスライドブロックの中には切り替え機構が設けられ、前記伸縮ロッドの後側には自撮り板が設けられ、前記自撮り板の頂端には補助ライトが固定的に設けられ、前記自撮り板の中には挟み機構が設けられ、前記挟み機構は前記携帯電話を挟むことができ、前記自撮り板の前側端にはプラグが設けられ、前記ハンドルの頂端には三組のボタンが設けられ、上げボタンと、下げボタンとシャッターを含むことを特徴とする自撮り設備。
【請求項２】
前記調節機構は前記中チャンバの片側端壁の中に回転できるように設けられたスプラインスリーブを含み、前記スプラインスリーブの一端には歯車が固定的に設けられ、前記縦溝の中にはラックがスライドできるように設けられ、前記ラックの前側端と前記歯車とが噛合し設けられ、頂部の前記水平溝を例として説明すれば、前記水平溝の中にはスライド板がスライドできるように設けられ、前記スライド板と前記ラックとが当接しスライドできるように連結され、前記スライド板の頂端には復帰バネが弾性的に連結され、前記スライド板の一端には押圧ブロックが固定的に設けられ、前記スプラインスリーブの中にはスプライン軸がスプラインによって連結され、前記スプライン軸が前記固定板を貫通しており、且つ前記固定板と回転できるように連結され、前記スプライン軸の一端には傘歯車が固定的に設けられ、前記切り替えスライドブロックの片側には切り替え歯車が回転できるように設けられ、前記切り替え歯車と前記切り替えスライドブロックとが噛合し設けられ、前記切り替えスライドブロックの頂端と前記傘歯車とが噛合し設けられ、頂部の前記押圧ブロックまたは底部の前記押圧ブロックを押し、スライド板がラックを押し当ててスライドさせ、これにより歯車を回転連動させ、歯車がスプラインスリーブを回転連動させ、スプライン軸を回転させ、これにより傘歯車が切り替え歯車を回転連動させることができ、これにより切り替えスライドブロックを前後にスライドさせることができることを特徴とする請求項１に記載の自撮り設備。
【請求項３】
前記切り替え機構は前記切り替えスライドブロックを含み、前記切り替えスライドブロックの片側には切り替えチャンバが設けられ、前記切り替えスライドブロックの片側端面の中にはモーターが固定的に嵌められており、前記モーターの一端には動力傘歯車が伝動できるように連結され、前記動力傘歯車が前記切り替えチャンバの中に位置しており、前記切り替えチャンバの後側端壁の中には回転ブロックが回転できるように設けられ、前記回転ブロックの後端と前記自撮り板とが固定的に連結され、前記回転ブロックの前端には後傘歯車が固定的に設けられ、前記回転ブロックの中にはウォームが回転できるように設けられ、前記切り替えチャンバの中に位置している前記ウォームの一端の末端には前側傘歯車が固定的に設けられ、切り替えスライドブロックが前後にスライドすることにより、切り替えスライドブロックを前後にスライドさせることができ、これにより動力傘歯車が後傘歯車または前側傘歯車と噛合することができ、これにより回転ブロックの回転を調節し、またはウォームの回転を調節することを特徴とする請求項１に記載の自撮り設備。
【請求項４】
前記挟み機構は前記自撮り板の中に設けられた携帯電話チャンバを含み、前記携帯電話チャンバの底部端壁の中には底板が回転できるように設けられ、前記底板の底端にはウォームホイール軸が固定的に設けられ、前記ウォームホイール軸と前記ウォームとが噛合し設けられ、前記携帯電話チャンバの頂壁には半円チャンバが設けられ、前記半円チャンバの中には挟み固定板が回転できるように設けられ、前記挟み固定板の中にはスライドチャンバが設けられ、前記スライドチャンバの中には挟み板がスライドできるように設けられ、前記挟み板と前記スライドチャンバの頂壁との間には押圧バネが弾性的に連結され、前記挟み固定板の頂端にはスリーブが固定的に設けられ、前記スリーブの中には軸ピンがスプラインによって連結され、前記軸ピンと前記半円チャンバの頂壁とが回転できるように連結され、前記半円チャンバの中には圧力板がスライドできるように設けられ、前記圧力板と前記スリーブとが回転できるように連結され、前記圧力板の中にはねじロッドがねじ山によって連結され、前記半円チャンバの底部には伝動チャンバが設けられ、前記ねじロッドの底端には底歯車が固定的に設けられ、前記伝動チャンバの片側端壁には伝動軸が回転できるように設けられ、前記伝動軸の一端には従動傘歯車が固定的に設けられ、前記従動傘歯車と前記底歯車とが噛合し設けられることを特徴とする請求項１に記載の自撮り設備。
【請求項５】
前記伝動チャンバの片側には押し引きチャンバが設けられ、前記押し引きチャンバの中には押し引きブロックがスライドできるように設けられ、前記押し引きブロックの頂端には押し引きロッドが固定的に設けられ、前記押し引きブロックの中にはラチェット歯車チャンバが設けられ、前記ラチェット歯車チャンバ前記押し引きブロックを貫通しており、前記押し引きチャンバの片側端壁にはノブ軸が回転できるように設けられ、前記ノブ軸が前記ラチェット歯車チャンバを貫通しており、前記ノブ軸の片側端にはノブが固定的に設けられ、前記ノブ軸の外周にはラチェット歯車が固定的に設けられ、前記伝動軸のもう一端の末端には動力傘歯車が固定的に設けられ、前記動力傘歯車と前記ノブ軸とが噛合し設けられ、前記ラチェット歯車が前記ラチェット歯車チャンバの内壁と固定でき、ノブを回すことによってラチェット歯車を回転させることができ、これにより伝動軸を回転させ、これによりねじロッドを回転させ、これにより圧力板を下に移動させ、挟み板が携帯電話を固定し、押し引きロッドを押し、押し引きブロックを後にスライドさせ、これによりラチェット歯車が反転でき、挟み板を復帰させることを特徴とする請求項４に記載の自撮り設備。
【発明の詳細な説明】
【技術分野】
【０００１】
本発明は自撮り技術分野を取り上げて、具体的には自撮り設備である。
【背景技術】
【０００２】
今、携帯電話は単一の通話機能を搭載する電子設備から多数の機能を搭載して多種類のサービスを提供できる電子設備に発展し、その中、写真を撮る機能と動画を撮る機能はもはや今の撮影道具の標準的な機能となり、それと同時に、携帯電話などの撮影道具と一緒に使われる自撮り棒が今人気の撮影機材であり、異なった使用条件で伸びることまたは縮めることができ、また異なる撮影の角度を調節でき、使用者は撮影道具を伸縮棒に固定し、リモコンを使うだけで多角度の撮影を実現でき、
伝統的な自撮り棒は一般的に構造が簡単で、角度の調節があまり精確ではないため、撮った写真の質が下がり、従って、自由に角度を調節できる自撮り棒を設計して人々が自撮りへのニーズを満足する。
【先行技術文献】
【特許文献】
【０００３】
【特許文献１】中国特許出願公開第１０７１９１７７０号明細書
【発明の概要】
【発明が解決しようとする課題】
【０００４】
本発明の目的は自撮り設備を提供し、それは上記の現在の技術中の問題を解決できる。
【課題を解決するための手段】
【０００５】
本発明の自撮り設備は、ハンドルを含み、前記ハンドルの中には中チャンバが設けられ、前記中チャンバの中の上下両側にはいずれも水平溝が設けられ、前記水平溝と前記中チャンバとの間が縦溝によって互いに連通しており、前記中チャンバの中には調節機構が設けられ、前記調節機構は携帯電話の角度を調節でき、前記ハンドルの中には固定ロッドがスライドできるように設けられ、前記固定ロッドの中には伸縮ロッドがスライドできるように設けられ、前記伸縮ロッドの中には切り替えスライドブロックがスライドできるように設けられ、前記切り替えスライドブロックは前後にスライドすることしかできなく、前記切り替えスライドブロックの片側には固定板が固定的に設けられ、前記切り替えスライドブロックの中には切り替え機構が設けられ、前記伸縮ロッドの後側には自撮り板が設けられ、前記自撮り板の頂端には補助ライトが固定的に設けられ、前記自撮り板の中には挟み機構が設けられ、前記挟み機構は前記携帯電話を挟むことができ、前記自撮り板の前側端にはプラグが設けられ、前記ハンドルの頂端には三組のボタンが設けられ、上げボタンと、下げボタンとシャッターを含む。
【０００６】
更の技術プラン、前記調節機構は前記中チャンバの片側端壁の中に回転できるように設けられたスプラインスリーブを含み、前記スプラインスリーブの一端には歯車が固定的に設けられ、前記縦溝の中にはラックがスライドできるように設けられ、前記ラックの前側端と前記歯車とが噛合し設けられ、頂部の前記水平溝を例として説明すれば、前記水平溝の中にはスライド板がスライドできるように設けられ、前記スライド板と前記ラックとが当接しスライドできるように連結され、前記スライド板の頂端には復帰バネが弾性的に連結され、前記スライド板の一端には押圧ブロックが固定的に設けられ、前記スプラインスリーブの中にはスプライン軸がスプラインによって連結され、前記スプライン軸が前記固定板を貫通しており、且つ前記固定板と回転できるように連結され、前記スプライン軸の一端には傘歯車が固定的に設けられ、前記切り替えスライドブロックの片側には切り替え歯車が回転できるように設けられ、前記切り替え歯車と前記切り替えスライドブロックとが噛合し設けられ、前記切り替えスライドブロックの頂端と前記傘歯車とが噛合し設けられ、頂部の前記押圧ブロックまたは底部の前記押圧ブロックを押し、スライド板がラックを押し当ててスライドさせ、これにより歯車を回転連動させ、歯車がスプラインスリーブを回転連動させ、スプライン軸を回転させ、これにより傘歯車が切り替え歯車を回転連動させることができ、これにより切り替えスライドブロックを前後にスライドさせることができる。
【０００７】
更の技術プラン、前記切り替え機構は前記切り替えスライドブロックを含み、前記切り替えスライドブロックの片側には切り替えチャンバが設けられ、前記切り替えスライドブロックの片側端面の中にはモーターが固定的に嵌められており、前記モーターの一端には動力傘歯車が伝動できるように連結され、前記動力傘歯車が前記切り替えチャンバの中に位置しており、前記切り替えチャンバの後側端壁の中には回転ブロックが回転できるように設けられ、前記回転ブロックの後端と前記自撮り板とが固定的に連結され、前記回転ブロックの前端には後傘歯車が固定的に設けられ、前記回転ブロックの中にはウォームが回転できるように設けられ、前記切り替えチャンバの中に位置している前記ウォームの一端の末端には前側傘歯車が固定的に設けられ、切り替えスライドブロックが前後にスライドすることにより、切り替えスライドブロックを前後にスライドさせることができ、これにより動力傘歯車が後傘歯車または前側傘歯車と噛合することができ、これにより回転ブロックの回転を調節し、またはウォームの回転を調節する。
【０００８】
更の技術プラン、前記挟み機構は前記自撮り板の中に設けられた携帯電話チャンバを含み、前記携帯電話チャンバの底部端壁の中には底板が回転できるように設けられ、前記底板の底端にはウォームホイール軸が固定的に設けられ、前記ウォームホイール軸と前記ウォームとが噛合し設けられ、前記携帯電話チャンバの頂壁には半円チャンバが設けられ、前記半円チャンバの中には挟み固定板が回転できるように設けられ、前記挟み固定板の中にはスライドチャンバが設けられ、前記スライドチャンバの中には挟み板がスライドできるように設けられ、前記挟み板と前記スライドチャンバの頂壁との間には押圧バネが弾性的に連結され、前記挟み固定板の頂端にはスリーブが固定的に設けられ、前記スリーブの中には軸ピンがスプラインによって連結され、前記軸ピンと前記半円チャンバの頂壁とが回転できるように連結され、前記半円チャンバの中には圧力板がスライドできるように設けられ、前記圧力板と前記スリーブとが回転できるように連結され、前記圧力板の中にはねじロッドがねじ山によって連結され、前記半円チャンバの底部には伝動チャンバが設けられ、前記ねじロッドの底端には底歯車が固定的に設けられ、前記伝動チャンバの片側端壁には伝動軸が回転できるように設けられ、前記伝動軸の一端には従動傘歯車が固定的に設けられ、前記従動傘歯車と前記底歯車とが噛合し設けられる。
【０００９】
更の技術プラン、前記伝動チャンバの片側には押し引きチャンバが設けられ、前記押し引きチャンバの中には押し引きブロックがスライドできるように設けられ、前記押し引きブロックの頂端には押し引きロッドが固定的に設けられ、前記押し引きブロックの中にはラチェット歯車チャンバが設けられ、前記ラチェット歯車チャンバ前記押し引きブロックを貫通しており、前記押し引きチャンバの片側端壁にはノブ軸が回転できるように設けられ、前記ノブ軸が前記ラチェット歯車チャンバを貫通しており、前記ノブ軸の片側端にはノブが固定的に設けられ、前記ノブ軸の外周にはラチェット歯車が固定的に設けられ、前記伝動軸のもう一端の末端には動力傘歯車が固定的に設けられ、前記動力傘歯車と前記ノブ軸とが噛合し設けられ、前記ラチェット歯車が前記ラチェット歯車チャンバの内壁と固定でき、ノブを回すことによってラチェット歯車を回転させることができ、これにより伝動軸を回転させ、これによりねじロッドを回転させ、これにより圧力板を下に移動させ、挟み板が携帯電話を固定し、押し引きロッドを押し、押し引きブロックを後にスライドさせ、これによりラチェット歯車が反転でき、挟み板を復帰させる。
【００１０】
使用する時、伸縮ロッドを引き出し、携帯電話を挟み板と底板との間に置き、ノブを回すことによってラチェット歯車を回転させ、これにより伝動軸を回転させ、これにより従動傘歯車に底歯車を回転連動させ、これによりねじロッドを回転させ、これにより圧力板を下に移動させ、同時に挟み板が下に移動して携帯電話をきつく挟み、その時に頂部の押圧ブロックまたは底部の押圧ブロックを押し、スライド板がラックを押し当てて上下にスライドさせ、これにより歯車を回転させ、これによりスプラインスリーブを回転させ、これにより傘歯車に切り替え歯車を回転連動させ、これにより切り替えスライドブロックを前後にスライドさせ、動力傘歯車と後傘歯車とが噛み合う時に、上げボタン或いはシャッターを押すことにより、モーターの正逆回転をコントロールでき、これにより自撮り板を反転させ、角度を調節し、動力傘歯車と前側傘歯車とが噛み合う時に、上げボタン或いはシャッターを押し、ウォームを回転させ、これによりウォームホイール軸を回転させ、これにより携帯電話の振りをコントロールし、角度を調節し、押し引きロッドを押すことによって押し引きブロックとラチェット歯車とを離脱させ、ラチェット歯車の位置が制限されなくなり、これにより携帯電話を取り外すことができる。
【発明の効果】
【００１１】
本発明は構造が簡単で、操作が便利であり、調節機構によりスプラインスリーブの回転を実現でき、これにより切り替えスライドブロックをスライドさせ、動力傘歯車が後傘歯車や前側傘歯車と切り替えて噛合することをコントロールでき、動力の切り替えを実現し、挟み機構は携帯電話をきつく挟んで携帯電話が落ちることを防止し、同時に押し引きチャンバと押し引きブロックの協働により伝動軸を固定でき、押し引きブロックが後にスライドする時に固定状態から離脱でき、伝動軸が回転でき、これにより携帯電話を取り外すことができ、挟み機構の安定性を増える。
【図面の簡単な説明】
【００１２】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１３】
【図１】図１は本発明の自撮り設備の内部全体構成略図
【図２】図２は本発明の図１のＣの部分拡大略図
【図３】図３は本発明の図５のＡ−Ａの断面図
【図４】図４は本発明の図５のＢ−Ｂの断面図
【図５】図５は本発明の図１の左側部分略図
【図６】図６は本発明の図４のＤの部分拡大略図
【発明を実施するための形態】
【００１４】
図１〜６を参照し、本発明の自撮り設備は、ハンドル１０を含み、前記ハンドル１０の中には中チャンバ２０が設けられ、前記中チャンバ２０の中の上下両側にはいずれも水平溝２３が設けられ、前記水平溝２３と前記中チャンバ２０との間が縦溝２２によって互いに連通しており、前記中チャンバ２０の中には調節機構８０が設けられ、前記調節機構は携帯電話９０の角度を調節でき、前記ハンドル１０の中には固定ロッド１４がスライドできるように設けられ、前記固定ロッド１４の中には伸縮ロッド２６がスライドできるように設けられ、前記伸縮ロッド２６の中には切り替えスライドブロック３３がスライドできるように設けられ、前記切り替えスライドブロック３３は前後にスライドすることしかできなく、前記切り替えスライドブロック３３の片側には固定板３８が固定的に設けられ、前記切り替えスライドブロック３３の中には切り替え機構８１が設けられ、前記伸縮ロッド２６の後側には自撮り板３０が設けられ、前記自撮り板３０の頂端には補助ライト２９が固定的に設けられ、前記自撮り板３０の中には挟み機構８２が設けられ、前記挟み機構８２は前記携帯電話９０を挟むことができ、前記自撮り板３０の前側端にはプラグ４９が設けられ、前記ハンドル１０の頂端には三組のボタンが設けられ、上げボタン１３と、下げボタン１２とシャッター１１を含む。
【００１５】
有益的には、前記調節機構８０は前記中チャンバ２０の片側端壁の中に回転できるように設けられたスプラインスリーブ１５を含み、前記スプラインスリーブ１５の一端には歯車２１が固定的に設けられ、前記縦溝２２の中にはラック１９がスライドできるように設けられ、前記ラック１９の前側端と前記歯車２１とが噛合し設けられ、頂部の前記水平溝２３を例として説明すれば、前記水平溝２３の中にはスライド板１８がスライドできるように設けられ、前記スライド板１８と前記ラック１９とが当接しスライドできるように連結され、前記スライド板１８の頂端には復帰バネ１６が弾性的に連結され、前記スライド板１８の一端には押圧ブロック１７が固定的に設けられ、前記スプラインスリーブ１５の中にはスプライン軸３７がスプラインによって連結され、前記スプライン軸３７が前記固定板３８を貫通しており、且つ前記固定板３８と回転できるように連結され、前記スプライン軸３７の一端には傘歯車３５が固定的に設けられ、前記切り替えスライドブロック３３の片側には切り替え歯車３６が回転できるように設けられ、前記切り替え歯車３６と前記切り替えスライドブロック３３とが噛合し設けられ、前記切り替えスライドブロック３３の頂端と前記傘歯車３５とが噛合し設けられ、頂部の前記押圧ブロック１７または底部の前記押圧ブロック１７を押し、スライド板１８がラック１９を押し当ててスライドさせ、これにより歯車２１を回転連動させ、歯車２１がスプラインスリーブ１５を回転連動させ、スプライン軸３７を回転させ、これにより傘歯車３５が切り替え歯車３６を回転連動させることができ、これにより切り替えスライドブロック３３を前後にスライドさせることができる。
【００１６】
有益的には、前記切り替え機構８１は前記切り替えスライドブロック３３を含み、前記切り替えスライドブロック３３の片側には切り替えチャンバ６１が設けられ、前記切り替えスライドブロック３３の片側端面の中にはモーター３４が固定的に嵌められており、前記モーター３４の一端には動力傘歯車３２が伝動できるように連結され、前記動力傘歯車３２が前記切り替えチャンバ６１の中に位置しており、前記切り替えチャンバ６１の後側端壁の中には回転ブロック４８が回転できるように設けられ、前記回転ブロック４８の後端と前記自撮り板３０とが固定的に連結され、前記回転ブロック４８の前端には後傘歯車３１が固定的に設けられ、前記回転ブロック４８の中にはウォーム６０が回転できるように設けられ、前記切り替えチャンバ６１の中に位置している前記ウォーム６０の一端の末端には前側傘歯車４７が固定的に設けられ、切り替えスライドブロック３３が前後にスライドすることにより、切り替えスライドブロック３３を前後にスライドさせることができ、これにより動力傘歯車３２が後傘歯車３１または前側傘歯車４７と噛合することができ、これにより回転ブロック４８の回転を調節し、またはウォーム６０の回転を調節する。
【００１７】
有益的には、前記挟み機構８２は前記自撮り板３０の中に設けられた携帯電話チャンバ５１を含み、前記携帯電話チャンバ５１の底部端壁の中には底板５８が回転できるように設けられ、前記底板５８の底端にはウォームホイール軸５９が固定的に設けられ、前記ウォームホイール軸５９と前記ウォーム６０とが噛合し設けられ、前記携帯電話チャンバ５１の頂壁には半円チャンバ５０が設けられ、前記半円チャンバ５０の中には挟み固定板５２が回転できるように設けられ、前記挟み固定板５２の中にはスライドチャンバ６３が設けられ、前記スライドチャンバ６３の中には挟み板５７がスライドできるように設けられ、前記挟み板５７と前記スライドチャンバ６３の頂壁との間には押圧バネ５３が弾性的に連結され、前記挟み固定板５２の頂端にはスリーブ６４が固定的に設けられ、前記スリーブ６４の中には軸ピン５４がスプラインによって連結され、前記軸ピン５４と前記半円チャンバ５０の頂壁とが回転できるように連結され、前記半円チャンバ５０の中には圧力板５５がスライドできるように設けられ、前記圧力板５５と前記スリーブ６４とが回転できるように連結され、前記圧力板５５の中にはねじロッド５６がねじ山によって連結され、前記半円チャンバ５０の底部には伝動チャンバ３９が設けられ、前記ねじロッド５６の底端には底歯車４０が固定的に設けられ、前記伝動チャンバ３９の片側端壁には伝動軸４３が回転できるように設けられ、前記伝動軸４３の一端には従動傘歯車４２が固定的に設けられ、前記従動傘歯車４２と前記底歯車４０とが噛合し設けられる。
【００１８】
有益的には、前記伝動チャンバ３９の片側には押し引きチャンバ６６が設けられ、前記押し引きチャンバ６６の中には押し引きブロック４４がスライドできるように設けられ、前記押し引きブロック４４の頂端には押し引きロッド２８が固定的に設けられ、前記押し引きブロック４４の中にはラチェット歯車チャンバ６８が設けられ、前記ラチェット歯車チャンバ６８前記押し引きブロック４４を貫通しており、前記押し引きチャンバ６６の片側端壁にはノブ軸４６が回転できるように設けられ、前記ノブ軸４６が前記ラチェット歯車チャンバ６８を貫通しており、前記ノブ軸４６の片側端にはノブ２７が固定的に設けられ、前記ノブ軸４６の外周にはラチェット歯車６７が固定的に設けられ、前記伝動軸４３のもう一端の末端には動力傘歯車４５が固定的に設けられ、前記動力傘歯車４５と前記ノブ軸４６とが噛合し設けられ、前記ラチェット歯車６７が前記ラチェット歯車チャンバ６８の内壁と固定でき、ノブ２７を回すことによってラチェット歯車６７を回転させることができ、これにより伝動軸４３を回転させ、これによりねじロッド５６を回転させ、これにより圧力板５５を下に移動させ、挟み板５７が携帯電話９０を固定し、押し引きロッド２８を押し、押し引きブロック４４を後にスライドさせ、これによりラチェット歯車６７が反転でき、挟み板５７を復帰させる。
【００１９】
使用する時、伸縮ロッド２６を引き出し、携帯電話９０を挟み板５７と底板５８との間に置き、ノブ２７を回すことによってラチェット歯車６７を回転させ、これにより伝動軸４３を回転させ、これにより従動傘歯車４２に底歯車４０を回転連動させ、これによりねじロッド５６を回転させ、これにより圧力板５５を下に移動させ、同時に挟み板５７が下に移動して携帯電話９０をきつく挟み、その時に頂部の押圧ブロック１７または底部の押圧ブロック１７を押し、スライド板１８がラック１９を押し当てて上下にスライドさせ、これにより歯車２１を回転させ、これによりスプラインスリーブ１５を回転させ、これにより傘歯車３５に切り替え歯車３６を回転連動させ、これにより切り替えスライドブロック３３を前後にスライドさせ、動力傘歯車３２と後傘歯車３１とが噛み合う時に、上げボタン１３或いはシャッター１１を押すことにより、モーター３４の正逆回転をコントロールでき、これにより自撮り板３０を反転させ、角度を調節し、動力傘歯車３２と前側傘歯車４７とが噛み合う時に、上げボタン１３或いはシャッター１１を押し、ウォーム６０を回転させ、これによりウォームホイール軸５９を回転させ、これにより携帯電話９０の振りをコントロールし、角度を調節し、押し引きロッド２８を押すことによって押し引きブロック４４とラチェット歯車６７とを離脱させ、ラチェット歯車６７の位置が制限されなくなり、これにより携帯電話９０を取り外すことができる。
【００２０】
本発明の有益効果は：本発明は構造が簡単で、操作が便利であり、調節機構によりスプラインスリーブの回転を実現でき、これにより切り替えスライドブロックをスライドさせ、動力傘歯車が後傘歯車や前側傘歯車と切り替えて噛合することをコントロールでき、動力の切り替えを実現し、挟み機構は携帯電話をきつく挟んで携帯電話が落ちることを防止し、同時に押し引きチャンバと押し引きブロックの協働により伝動軸を固定でき、押し引きブロックが後にスライドする時に固定状態から離脱でき、伝動軸が回転でき、これにより携帯電話を取り外すことができ、挟み機構の安定性を増える。
【００２１】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020181176.tif 000003
【図２】
2020181176.tif 000004
【図３】
2020181176.tif 000005
【図４】
2020181176.tif 000006
【図５】
2020181176.tif 000007
【図６】
2020181176.tif 000008
【手続補正書】
【提出日】令和1年8月16日(2019.8.16)
【手続補正１】
【補正対象書類名】特許請求の範囲
【補正対象項目名】全文
【補正方法】変更
【補正の内容】
【特許請求の範囲】
【請求項１】
正面視で、ハンドルを含み、前記ハンドルの中には中チャンバが設けられ、前記中チャンバの中の上下両側にはいずれも水平溝が設けられ、前記水平溝と前記中チャンバとの間が縦溝によって互いに連通しており、前記中チャンバの中には調節機構が設けられ、前記調節機構は携帯電話の角度を調節でき、前記ハンドルの中には固定ロッドがスライドできるように設けられ、前記固定ロッドの中には伸縮ロッドがスライドできるように設けられ、前記伸縮ロッドの中には切り替えスライドブロックがスライドできるように設けられ、前記切り替えスライドブロックは前後にスライドすることしかできなく、前記切り替えスライドブロックの右側には固定板が固定的に設けられ、前記切り替えスライドブロックの中には切り替え機構が設けられ、前記伸縮ロッドの後側には自撮り板が設けられ、前記自撮り板の頂端には補助ライトが固定的に設けられ、前記自撮り板の中には挟み機構が設けられ、前記挟み機構は前記携帯電話を挟むことができ、前記自撮り板の前側端にはプラグが設けられ、前記ハンドルの頂端には三組のボタンが設けられ、上げボタンと、下げボタンとシャッターを含み、
前記調節機構は前記中チャンバの片側端壁の中に回転できるように設けられたスプラインスリーブを含み、前記スプラインスリーブの一端には歯車が固定的に設けられ、前記縦溝の中にはラックがスライドできるように設けられ、前記ラックの前側端と前記歯車とが噛合し設けられ、頂部の前記水平溝を例として説明すれば、前記水平溝の中にはスライド板がスライドできるように設けられ、前記スライド板と前記ラックとが当接しスライドできるように連結され、前記スライド板の頂端には復帰バネが弾性的に連結され、前記スライド板の一端には押圧ブロックが固定的に設けられ、前記スプラインスリーブの中にはスプライン軸がスプラインによって連結され、前記スプライン軸が前記固定板を貫通しており、且つ前記固定板と回転できるように連結され、前記スプライン軸の一端には傘歯車が固定的に設けられ、前記切り替えスライドブロックの片側には切り替え歯車が回転できるように設けられ、前記切り替え歯車と前記切り替えスライドブロックとが噛合し設けられ、前記切り替えスライドブロックの頂端と前記傘歯車とが噛合し設けられ、頂部の前記押圧ブロックまたは底部の前記押圧ブロックを押し、スライド板がラックを押し当ててスライドさせ、これにより歯車を回転連動させ、歯車がスプラインスリーブを回転連動させ、スプライン軸を回転させ、これにより傘歯車が切り替え歯車を回転連動させることができ、これにより切り替えスライドブロックを前後にスライドさせることができ、
前記切り替え機構は前記切り替えスライドブロックを含み、前記切り替えスライドブロックの片側には切り替えチャンバが設けられ、前記切り替えスライドブロックの片側端面の中にはモーターが固定的に嵌められており、前記モーターの一端には動力傘歯車が伝動できるように連結され、前記動力傘歯車が前記切り替えチャンバの中に位置しており、前記切り替えチャンバの後側端壁の中には回転ブロックが回転できるように設けられ、前記回転ブロックの後端と前記自撮り板とが固定的に連結され、前記回転ブロックの前端には後傘歯車が固定的に設けられ、前記回転ブロックの中にはウォームが回転できるように設けられ、前記切り替えチャンバの中に位置している前記ウォームの一端の末端には前側傘歯車が固定的に設けられ、切り替えスライドブロックが前後にスライドすることにより、切り替えスライドブロックを前後にスライドさせることができ、これにより動力傘歯車が後傘歯車または前側傘歯車と噛合することができ、これにより回転ブロックの回転を調節し、またはウォームの回転を調節し、
前記挟み機構は前記自撮り板の中に設けられた携帯電話チャンバを含み、前記携帯電話チャンバの底部端壁の中には底板が回転できるように設けられ、前記底板の底端にはウォームホイール軸が固定的に設けられ、前記ウォームホイール軸と前記ウォームとが噛合し設けられ、前記携帯電話チャンバの頂壁には半円チャンバが設けられ、前記半円チャンバの中には挟み固定板が回転できるように設けられ、前記挟み固定板の中にはスライドチャンバが設けられ、前記スライドチャンバの中には挟み板がスライドできるように設けられ、前記挟み板と前記スライドチャンバの頂壁との間には押圧バネが弾性的に連結され、前記挟み固定板の頂端にはスリーブが固定的に設けられ、前記スリーブの中には軸ピンがスプラインによって連結され、前記軸ピンと前記半円チャンバの頂壁とが回転できるように連結され、前記半円チャンバの中には圧力板がスライドできるように設けられ、前記圧力板と前記スリーブとが回転できるように連結され、前記圧力板の中にはねじロッドがねじ山によって連結され、前記半円チャンバの底部には伝動チャンバが設けられ、前記ねじロッドの底端には底歯車が固定的に設けられ、前記伝動チャンバの片側端壁には伝動軸が回転できるように設けられ、前記伝動軸の一端には従動傘歯車が固定的に設けられ、前記従動傘歯車と前記底歯車とが噛合し設けられ、
前記伝動チャンバの片側には押し引きチャンバが設けられ、前記押し引きチャンバの中には押し引きブロックがスライドできるように設けられ、前記押し引きブロックの頂端には押し引きロッドが固定的に設けられ、前記押し引きブロックの中にはラチェット歯車チャンバが設けられ、前記ラチェット歯車チャンバ前記押し引きブロックを貫通しており、前記押し引きチャンバの片側端壁にはノブ軸が回転できるように設けられ、前記ノブ軸が前記ラチェット歯車チャンバを貫通しており、前記ノブ軸の片側端にはノブが固定的に設けられ、前記ノブ軸の外周にはラチェット歯車が固定的に設けられ、前記伝動軸のもう一端の末端には動力傘歯車が固定的に設けられ、前記動力傘歯車と前記ノブ軸とが噛合し設けられ、前記ラチェット歯車が前記ラチェット歯車チャンバの内壁と固定でき、ノブを回すことによってラチェット歯車を回転させることができ、これにより伝動軸を回転させ、これによりねじロッドを回転させ、これにより圧力板を下に移動させ、挟み板が携帯電話を固定し、押し引きロッドを押し、押し引きブロックを後にスライドさせ、これによりラチェット歯車が反転でき、挟み板を復帰させることを特徴とする自撮り設備。
【手続補正２】
【補正対象書類名】明細書
【補正対象項目名】全文
【補正方法】変更
【補正の内容】
【発明の詳細な説明】
【技術分野】
【０００１】
本発明は自撮り技術分野を取り上げて、具体的には自撮り設備である。
【背景技術】
【０００２】
今、携帯電話は単一の通話機能を搭載する電子設備から多数の機能を搭載して多種類のサービスを提供できる電子設備に発展し、その中、写真を撮る機能と動画を撮る機能はもはや今の撮影道具の標準的な機能となり、それと同時に、携帯電話などの撮影道具と一緒に使われる自撮り棒が今人気の撮影機材であり、異なった使用条件で伸びることまたは縮めることができ、また異なる撮影の角度を調節でき、使用者は撮影道具を伸縮棒に固定し、リモコンを使うだけで多角度の撮影を実現でき、
伝統的な自撮り棒は一般的に構造が簡単で、角度の調節があまり精確ではないため、撮った写真の質が下がり、従って、自由に角度を調節できる自撮り棒を設計して人々が自撮りへのニーズを満足する。
【先行技術文献】
【特許文献】
【０００３】
【特許文献１】中国特許出願公開第１０７１９１７７０号明細書
【発明の概要】
【発明が解決しようとする課題】
【０００４】
本発明の目的は自撮り設備を提供し、それは上記の現在の技術中の問題を解決できる。
【課題を解決するための手段】
【０００５】
本発明の自撮り設備は、ハンドルを含み、前記ハンドルの中には中チャンバが設けられ、前記中チャンバの中の上下両側にはいずれも水平溝が設けられ、前記水平溝と前記中チャンバとの間が縦溝によって互いに連通しており、前記中チャンバの中には調節機構が設けられ、前記調節機構は携帯電話の角度を調節でき、前記ハンドルの中には固定ロッドがスライドできるように設けられ、前記固定ロッドの中には伸縮ロッドがスライドできるように設けられ、前記伸縮ロッドの中には切り替えスライドブロックがスライドできるように設けられ、前記切り替えスライドブロックは前後にスライドすることしかできなく、前記切り替えスライドブロックの右側には固定板が固定的に設けられ、前記切り替えスライドブロックの中には切り替え機構が設けられ、前記伸縮ロッドの後側には自撮り板が設けられ、前記自撮り板の頂端には補助ライトが固定的に設けられ、前記自撮り板の中には挟み機構が設けられ、前記挟み機構は前記携帯電話を挟むことができ、前記自撮り板の前側端にはプラグが設けられ、前記ハンドルの頂端には三組のボタンが設けられ、上げボタンと、下げボタンとシャッターを含む。
【０００６】
更の技術プラン、前記調節機構は前記中チャンバの片側端壁の中に回転できるように設けられたスプラインスリーブを含み、前記スプラインスリーブの一端には歯車が固定的に設けられ、前記縦溝の中にはラックがスライドできるように設けられ、前記ラックの前側端と前記歯車とが噛合し設けられ、頂部の前記水平溝を例として説明すれば、前記水平溝の中にはスライド板がスライドできるように設けられ、前記スライド板と前記ラックとが当接しスライドできるように連結され、前記スライド板の頂端には復帰バネが弾性的に連結され、前記スライド板の一端には押圧ブロックが固定的に設けられ、前記スプラインスリーブの中にはスプライン軸がスプラインによって連結され、前記スプライン軸が前記固定板を貫通しており、且つ前記固定板と回転できるように連結され、前記スプライン軸の一端には傘歯車が固定的に設けられ、前記切り替えスライドブロックの片側には切り替え歯車が回転できるように設けられ、前記切り替え歯車と前記切り替えスライドブロックとが噛合し設けられ、前記切り替えスライドブロックの頂端と前記傘歯車とが噛合し設けられ、頂部の前記押圧ブロックまたは底部の前記押圧ブロックを押し、スライド板がラックを押し当ててスライドさせ、これにより歯車を回転連動させ、歯車がスプラインスリーブを回転連動させ、スプライン軸を回転させ、これにより傘歯車が切り替え歯車を回転連動させることができ、これにより切り替えスライドブロックを前後にスライドさせることができる。
【０００７】
更の技術プラン、前記切り替え機構は前記切り替えスライドブロックを含み、前記切り替えスライドブロックの片側には切り替えチャンバが設けられ、前記切り替えスライドブロックの片側端面の中にはモーターが固定的に嵌められており、前記モーターの一端には動力傘歯車が伝動できるように連結され、前記動力傘歯車が前記切り替えチャンバの中に位置しており、前記切り替えチャンバの後側端壁の中には回転ブロックが回転できるように設けられ、前記回転ブロックの後端と前記自撮り板とが固定的に連結され、前記回転ブロックの前端には後傘歯車が固定的に設けられ、前記回転ブロックの中にはウォームが回転できるように設けられ、前記切り替えチャンバの中に位置している前記ウォームの一端の末端には前側傘歯車が固定的に設けられ、切り替えスライドブロックが前後にスライドすることにより、切り替えスライドブロックを前後にスライドさせることができ、これにより動力傘歯車が後傘歯車または前側傘歯車と噛合することができ、これにより回転ブロックの回転を調節し、またはウォームの回転を調節する。
【０００８】
更の技術プラン、前記挟み機構は前記自撮り板の中に設けられた携帯電話チャンバを含み、前記携帯電話チャンバの底部端壁の中には底板が回転できるように設けられ、前記底板の底端にはウォームホイール軸が固定的に設けられ、前記ウォームホイール軸と前記ウォームとが噛合し設けられ、前記携帯電話チャンバの頂壁には半円チャンバが設けられ、前記半円チャンバの中には挟み固定板が回転できるように設けられ、前記挟み固定板の中にはスライドチャンバが設けられ、前記スライドチャンバの中には挟み板がスライドできるように設けられ、前記挟み板と前記スライドチャンバの頂壁との間には押圧バネが弾性的に連結され、前記挟み固定板の頂端にはスリーブが固定的に設けられ、前記スリーブの中には軸ピンがスプラインによって連結され、前記軸ピンと前記半円チャンバの頂壁とが回転できるように連結され、前記半円チャンバの中には圧力板がスライドできるように設けられ、前記圧力板と前記スリーブとが回転できるように連結され、前記圧力板の中にはねじロッドがねじ山によって連結され、前記半円チャンバの底部には伝動チャンバが設けられ、前記ねじロッドの底端には底歯車が固定的に設けられ、前記伝動チャンバの片側端壁には伝動軸が回転できるように設けられ、前記伝動軸の一端には従動傘歯車が固定的に設けられ、前記従動傘歯車と前記底歯車とが噛合し設けられる。
【０００９】
更の技術プラン、前記伝動チャンバの片側には押し引きチャンバが設けられ、前記押し引きチャンバの中には押し引きブロックがスライドできるように設けられ、前記押し引きブロックの頂端には押し引きロッドが固定的に設けられ、前記押し引きブロックの中にはラチェット歯車チャンバが設けられ、前記ラチェット歯車チャンバ前記押し引きブロックを貫通しており、前記押し引きチャンバの片側端壁にはノブ軸が回転できるように設けられ、前記ノブ軸が前記ラチェット歯車チャンバを貫通しており、前記ノブ軸の片側端にはノブが固定的に設けられ、前記ノブ軸の外周にはラチェット歯車が固定的に設けられ、前記伝動軸のもう一端の末端には動力傘歯車が固定的に設けられ、前記動力傘歯車と前記ノブ軸とが噛合し設けられ、前記ラチェット歯車が前記ラチェット歯車チャンバの内壁と固定でき、ノブを回すことによってラチェット歯車を回転させることができ、これにより伝動軸を回転させ、これによりねじロッドを回転させ、これにより圧力板を下に移動させ、挟み板が携帯電話を固定し、押し引きロッドを押し、押し引きブロックを後にスライドさせ、これによりラチェット歯車が反転でき、挟み板を復帰させる。
【００１０】
使用する時、伸縮ロッドを引き出し、携帯電話を挟み板と底板との間に置き、ノブを回すことによってラチェット歯車を回転させ、これにより伝動軸を回転させ、これにより従動傘歯車に底歯車を回転連動させ、これによりねじロッドを回転させ、これにより圧力板を下に移動させ、同時に挟み板が下に移動して携帯電話をきつく挟み、その時に頂部の押圧ブロックまたは底部の押圧ブロックを押し、スライド板がラックを押し当てて上下にスライドさせ、これにより歯車を回転させ、これによりスプラインスリーブを回転させ、これにより傘歯車に切り替え歯車を回転連動させ、これにより切り替えスライドブロックを前後にスライドさせ、動力傘歯車と後傘歯車とが噛み合う時に、上げボタン或いはシャッターを押すことにより、モーターの正逆回転をコントロールでき、これにより自撮り板を反転させ、角度を調節し、動力傘歯車と前側傘歯車とが噛み合う時に、上げボタン或いはシャッターを押し、ウォームを回転させ、これによりウォームホイール軸を回転させ、これにより携帯電話の振りをコントロールし、角度を調節し、押し引きロッドを押すことによって押し引きブロックとラチェット歯車とを離脱させ、ラチェット歯車の位置が制限されなくなり、これにより携帯電話を取り外すことができる。
【発明の効果】
【００１１】
本発明は構造が簡単で、操作が便利であり、調節機構によりスプラインスリーブの回転を実現でき、これにより切り替えスライドブロックをスライドさせ、動力傘歯車が後傘歯車や前側傘歯車と切り替えて噛合することをコントロールでき、動力の切り替えを実現し、挟み機構は携帯電話をきつく挟んで携帯電話が落ちることを防止し、同時に押し引きチャンバと押し引きブロックの協働により伝動軸を固定でき、押し引きブロックが後にスライドする時に固定状態から離脱でき、伝動軸が回転でき、これにより携帯電話を取り外すことができ、挟み機構の安定性を増える。
【図面の簡単な説明】
【００１２】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１３】
【図１】図１は本発明の自撮り設備の内部全体構成略図
【図２】図２は本発明の図１のＣの部分拡大略図
【図３】図３は本発明の図５のＡ−Ａの断面図
【図４】図４は本発明の図５のＢ−Ｂの断面図
【図５】図５は本発明の図１の左側部分略図
【図６】図６は本発明の図４のＤの部分拡大略図
【発明を実施するための形態】
【００１４】
図１〜６を参照し、本発明の自撮り設備は、ハンドル１０を含み、前記ハンドル１０の中には中チャンバ２０が設けられ、前記中チャンバ２０の中の上下両側にはいずれも水平溝２３が設けられ、前記水平溝２３と前記中チャンバ２０との間が縦溝２２によって互いに連通しており、前記中チャンバ２０の中には調節機構８０が設けられ、前記調節機構は携帯電話９０の角度を調節でき、前記ハンドル１０の中には固定ロッド１４がスライドできるように設けられ、前記固定ロッド１４の中には伸縮ロッド２６がスライドできるように設けられ、前記伸縮ロッド２６の中には切り替えスライドブロック３３がスライドできるように設けられ、前記切り替えスライドブロック３３は前後にスライドすることしかできなく、前記切り替えスライドブロック３３の右側には固定板３８が固定的に設けられ、前記切り替えスライドブロック３３の中には切り替え機構８１が設けられ、前記伸縮ロッド２６の後側には自撮り板３０が設けられ、前記自撮り板３０の頂端には補助ライト２９が固定的に設けられ、前記自撮り板３０の中には挟み機構８２が設けられ、前記挟み機構８２は前記携帯電話９０を挟むことができ、前記自撮り板３０の前側端にはプラグ４９が設けられ、前記ハンドル１０の頂端には三組のボタンが設けられ、上げボタン１３と、下げボタン１２とシャッター１１を含む。
【００１５】
有益的には、前記調節機構８０は前記中チャンバ２０の片側端壁の中に回転できるように設けられたスプラインスリーブ１５を含み、前記スプラインスリーブ１５の一端には歯車２１が固定的に設けられ、前記縦溝２２の中にはラック１９がスライドできるように設けられ、前記ラック１９の前側端と前記歯車２１とが噛合し設けられ、頂部の前記水平溝２３を例として説明すれば、前記水平溝２３の中にはスライド板１８がスライドできるように設けられ、前記スライド板１８と前記ラック１９とが当接しスライドできるように連結され、前記スライド板１８の頂端には復帰バネ１６が弾性的に連結され、前記スライド板１８の一端には押圧ブロック１７が固定的に設けられ、前記スプラインスリーブ１５の中にはスプライン軸３７がスプラインによって連結され、前記スプライン軸３７が前記固定板３８を貫通しており、且つ前記固定板３８と回転できるように連結され、前記スプライン軸３７の一端には傘歯車３５が固定的に設けられ、前記切り替えスライドブロック３３の片側には切り替え歯車３６が回転できるように設けられ、前記切り替え歯車３６と前記切り替えスライドブロック３３とが噛合し設けられ、前記切り替えスライドブロック３３の頂端と前記傘歯車３５とが噛合し設けられ、頂部の前記押圧ブロック１７または底部の前記押圧ブロック１７を押し、スライド板１８がラック１９を押し当ててスライドさせ、これにより歯車２１を回転連動させ、歯車２１がスプラインスリーブ１５を回転連動させ、スプライン軸３７を回転させ、これにより傘歯車３５が切り替え歯車３６を回転連動させることができ、これにより切り替えスライドブロック３３を前後にスライドさせることができる。
【００１６】
有益的には、前記切り替え機構８１は前記切り替えスライドブロック３３を含み、前記切り替えスライドブロック３３の片側には切り替えチャンバ６１が設けられ、前記切り替えスライドブロック３３の片側端面の中にはモーター３４が固定的に嵌められており、前記モーター３４の一端には動力傘歯車３２が伝動できるように連結され、前記動力傘歯車３２が前記切り替えチャンバ６１の中に位置しており、前記切り替えチャンバ６１の後側端壁の中には回転ブロック４８が回転できるように設けられ、前記回転ブロック４８の後端と前記自撮り板３０とが固定的に連結され、前記回転ブロック４８の前端には後傘歯車３１が固定的に設けられ、前記回転ブロック４８の中にはウォーム６０が回転できるように設けられ、前記切り替えチャンバ６１の中に位置している前記ウォーム６０の一端の末端には前側傘歯車４７が固定的に設けられ、切り替えスライドブロック３３が前後にスライドすることにより、切り替えスライドブロック３３を前後にスライドさせることができ、これにより動力傘歯車３２が後傘歯車３１または前側傘歯車４７と噛合することができ、これにより回転ブロック４８の回転を調節し、またはウォーム６０の回転を調節する。
【００１７】
有益的には、前記挟み機構８２は前記自撮り板３０の中に設けられた携帯電話チャンバ５１を含み、前記携帯電話チャンバ５１の底部端壁の中には底板５８が回転できるように設けられ、前記底板５８の底端にはウォームホイール軸５９が固定的に設けられ、前記ウォームホイール軸５９と前記ウォーム６０とが噛合し設けられ、前記携帯電話チャンバ５１の頂壁には半円チャンバ５０が設けられ、前記半円チャンバ５０の中には挟み固定板５２が回転できるように設けられ、前記挟み固定板５２の中にはスライドチャンバ６３が設けられ、前記スライドチャンバ６３の中には挟み板５７がスライドできるように設けられ、前記挟み板５７と前記スライドチャンバ６３の頂壁との間には押圧バネ５３が弾性的に連結され、前記挟み固定板５２の頂端にはスリーブ６４が固定的に設けられ、前記スリーブ６４の中には軸ピン５４がスプラインによって連結され、前記軸ピン５４と前記半円チャンバ５０の頂壁とが回転できるように連結され、前記半円チャンバ５０の中には圧力板５５がスライドできるように設けられ、前記圧力板５５と前記スリーブ６４とが回転できるように連結され、前記圧力板５５の中にはねじロッド５６がねじ山によって連結され、前記半円チャンバ５０の底部には伝動チャンバ３９が設けられ、前記ねじロッド５６の底端には底歯車４０が固定的に設けられ、前記伝動チャンバ３９の片側端壁には伝動軸４３が回転できるように設けられ、前記伝動軸４３の一端には従動傘歯車４２が固定的に設けられ、前記従動傘歯車４２と前記底歯車４０とが噛合し設けられる。
【００１８】
有益的には、前記伝動チャンバ３９の片側には押し引きチャンバ６６が設けられ、前記押し引きチャンバ６６の中には押し引きブロック４４がスライドできるように設けられ、前記押し引きブロック４４の頂端には押し引きロッド２８が固定的に設けられ、前記押し引きブロック４４の中にはラチェット歯車チャンバ６８が設けられ、前記ラチェット歯車チャンバ６８前記押し引きブロック４４を貫通しており、前記押し引きチャンバ６６の片側端壁にはノブ軸４６が回転できるように設けられ、前記ノブ軸４６が前記ラチェット歯車チャンバ６８を貫通しており、前記ノブ軸４６の片側端にはノブ２７が固定的に設けられ、前記ノブ軸４６の外周にはラチェット歯車６７が固定的に設けられ、前記伝動軸４３のもう一端の末端には動力傘歯車４５が固定的に設けられ、前記動力傘歯車４５と前記ノブ軸４６とが噛合し設けられ、前記ラチェット歯車６７が前記ラチェット歯車チャンバ６８の内壁と固定でき、ノブ２７を回すことによってラチェット歯車６７を回転させることができ、これにより伝動軸４３を回転させ、これによりねじロッド５６を回転させ、これにより圧力板５５を下に移動させ、挟み板５７が携帯電話９０を固定し、押し引きロッド２８を押し、押し引きブロック４４を後にスライドさせ、これによりラチェット歯車６７が反転でき、挟み板５７を復帰させる。
【００１９】
使用する時、伸縮ロッド２６を引き出し、携帯電話９０を挟み板５７と底板５８との間に置き、ノブ２７を回すことによってラチェット歯車６７を回転させ、これにより伝動軸４３を回転させ、これにより従動傘歯車４２に底歯車４０を回転連動させ、これによりねじロッド５６を回転させ、これにより圧力板５５を下に移動させ、同時に挟み板５７が下に移動して携帯電話９０をきつく挟み、その時に頂部の押圧ブロック１７または底部の押圧ブロック１７を押し、スライド板１８がラック１９を押し当てて上下にスライドさせ、これにより歯車２１を回転させ、これによりスプラインスリーブ１５を回転させ、これにより傘歯車３５に切り替え歯車３６を回転連動させ、これにより切り替えスライドブロック３３を前後にスライドさせ、動力傘歯車３２と後傘歯車３１とが噛み合う時に、上げボタン１３或いはシャッター１１を押すことにより、モーター３４の正逆回転をコントロールでき、これにより自撮り板３０を反転させ、角度を調節し、動力傘歯車３２と前側傘歯車４７とが噛み合う時に、上げボタン１３或いはシャッター１１を押し、ウォーム６０を回転させ、これによりウォームホイール軸５９を回転させ、これにより携帯電話９０の振りをコントロールし、角度を調節し、押し引きロッド２８を押すことによって押し引きブロック４４とラチェット歯車６７とを離脱させ、ラチェット歯車６７の位置が制限されなくなり、これにより携帯電話９０を取り外すことができる。
【００２０】
本発明の有益効果は：本発明は構造が簡単で、操作が便利であり、調節機構によりスプラインスリーブの回転を実現でき、これにより切り替えスライドブロックをスライドさせ、動力傘歯車が後傘歯車や前側傘歯車と切り替えて噛合することをコントロールでき、動力の切り替えを実現し、挟み機構は携帯電話をきつく挟んで携帯電話が落ちることを防止し、同時に押し引きチャンバと押し引きブロックの協働により伝動軸を固定でき、押し引きブロックが後にスライドする時に固定状態から離脱でき、伝動軸が回転でき、これにより携帯電話を取り外すことができ、挟み機構の安定性を増える。
【００２１】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。